(57)【要約】【課題】簡単な構造でフトン等をソフトな状態に乾燥させることのできる収納室を提供する。【解決手段】押入れ１にＰＴＣヒータ１０，１３，２０を設け、押入れ１の天井に換気ファン２４を設け、この換気ファン２４によって押入の空気を排気口２６から外へ排気させるダクト２８を設けた。【選択図】　図１
2004144450.tif 000002
【特許請求の範囲】
【請求項１】
押入れまたはクローゼット等の収納室に加温する加温手段と、その収納室内の空気を外へ排気する排気手段を設けたことを特徴とする収納室の空調システム。
【請求項２】
前記加温手段はＰＴＣヒータであることを特徴とする請求項１に記載の収納室の空調システム。
【請求項３】
前記排気手段は、排気風路と、この排気風路を開閉するシャッタと、オゾンを発生するオゾン発生手段とを備え、
前記シャッタを閉成して収納室が所定温度になるまで前記加温手段を作動させ、
前記収納室が所定温度になった際、シャッタを開成するとともに換気ファンを所定時間動作させて収納室内の空気を排気させ、
その所定時間経過後に前記シャッタを閉成するとともにオゾン発生手段を動作させ、前記換気ファンを逆回転させてそのオゾン発生手段から発生するオゾンを収納室内へ拡散させることを特徴とする請求項１または請求項２に記載の収納室の空調システム。
【発明の詳細な説明】
【０００１】
【発明が属する技術分野】
この発明は　フトンや服などを入れておく押入れやクローゼットの収納室の換気、乾燥の少なくともいずれか１つの機能を有する収納室の空調システムに関する。
【０００２】
【従来の技術】
近年、共稼ぎの家庭が増加しており、この共稼ぎの家庭ではフトンを屋外に干せないという問題を抱えている。さらに、時期によっては、フトンに花粉が付着し、花粉症の人にとっては干した布団を利用することができないという問題がある。また、環境によっては、自動車の排気ガス等により、排出されるＮＯＸ（窒素酸化物）やＰＭ（粒状物質）がフトンに付着し、人体によくない影響を与える場合がある。したがって、外にフトンを干すことができない場合が近年特に増えている。
【０００３】
そこで、室内でフトンを乾かすことのできるフトン乾燥機や除湿機や乾燥装置が提案されている。
【０００４】
しかしながら、フトン乾燥機では夏に使用すると部屋が暑くなり、音もうるさく、しかもフトンを広げなければならない等の多くの問題があった。また、除湿器では重量が重く、除湿した水を排出する手段を設けなければならず、しかもフトンがソフトな状態にならないという問題があった。
【０００５】
また、乾燥装置は、収納室とこの収納室の外側に設けた循環路とこの循環路の途中に設けた湿度交換器とを備えている（例えば、特許文献１参照）。
【０００６】
この乾燥装置では、収納室の空気を循環路に流し、この循環路を流れる空気を湿度交換器で乾燥させ、この乾燥した空気を収納室に戻して収納室を乾燥させるものである。
【０００７】
【特許文献１】
特開平６−４７２４４号公報（段落０００９、図１，２）
【０００８】
【発明が解決しようとする課題】
しかしながら、このような乾燥装置では、除湿した水を排出する手段を設ける必要はないが、湿度交換器で空気を乾燥させていくため、その乾燥効率が悪く、しかも除湿器と同様にフトンがソフトな状態にならないという問題があった。さらに、収納室の外側に循環路を設け、この循環路に湿度交換器等を設けるため、装置が大がかりになってしまう等の多くの問題があった。
【０００９】
この発明の目的は、簡単な構造でフトン等をソフトな状態に乾燥させることのできる収納室の空調システムを提供することにある。
【００１０】
【課題を解決するための手段】
請求項１に係る発明は、押入れまたはクローゼット等の収納室に加温する加温手段と、その収納室内の空気を外へ排気する排気手段を設けたことを特徴とする。
【００１１】
請求項２の発明は、前記加温手段はＰＴＣヒータであることを特徴とする。
【００１２】
請求項３の発明は、前記排気手段は、排気風路と、この排気風路を開閉するシャッタと、オゾンを発生するオゾン発生手段とを備え、
前記シャッタを閉成して収納室が所定温度になるまで前記加温手段を作動させ、
前記収納室が所定温度になった際、シャッタを開成するとともに換気ファンを所定時間動作させて収納室内の空気を排気させ、
その所定時間経過後に前記シャッタを閉成するとともにオゾン発生手段を動作させ、前記換気ファンを逆回転させてそのオゾン発生手段から発生するオゾンを収納室内へ拡散させることを特徴とする。
【００１３】
【発明の実施の形態】
以下、この発明に係る収納室の空調システムの実施の形態を図面に基づいて説明する。
［第１実施形態］
図１および図２において、１は部屋（図示せず）に設けられている押入れであり、この押入れ１は仕切板２によって上下に上収納室３と下収納室４とに仕切られている。この仕切板２は押入れ１の側壁５，６と後壁７とに固定されている。仕切板２の上には前後に延びたガイドレール８，８が設けられており、このガイドレール８，８の上にはスライド板９が載置されている。スライド板９は、押入れ１の戸Ｔを開けることにより、ガイドレール８，８に沿って所定の長さだけ前方（図２において右）へ引き出せるようになっている。
【００１４】
スライド板９の上面には前後に延びた複数の凹部９Ａが所定間隔毎に形成されており、各凹部９Ａには面状発熱体（加温手段）であるＰＴＣヒータ（自己温度制御機能付きヒータ）１０が取り付けられている。凹部９Ａの深さは、スライド板９の上にフトンＦなどを載せた場合には、ＰＴＣヒータ１０とフトンＦ等との間に所定の空間が形成されるように設定されている。
【００１５】
ＰＴＣヒータ１０は、図３に示すようにＰＴＣ発熱体１０Ａに輻射熱が放射し易いように透明なペットフィルム１０Ｂ等でラミネート加工し、このペットフィルム１０Ｂの上に遠赤外線を効率よく出すためにＳｂ２Ｏ５やＳｎＯ２等のセラミックスの粉末と陶磁器材質を混ぜた粉末１０Ｃを塗布したものである。
【００１６】
スライド板９の下面には前後に延びたガイド溝９Ｇ，９Ｇが形成され、このガイド溝９Ｇ，９Ｇにガイドレール８，８が係合していて、スライド板９がガイドレール８，８に沿って前後に摺動移動できるようになっている。　また、仕切板９の後部には上収納室３と下収納室４とを連通する穴１１が形成されている。
【００１７】
上収納室３の側壁部５Ａ，６Ａおよび後壁部７Ａにはヒータ取付板１２がそれぞれ取り付けられており、これらヒータ取付板１２には前後方向に延びた複数の凹部１２Ａが形成され、この凹部１２Ａに面状発熱体（加温手段）であるＰＴＣヒータ１３が取り付けられている。
【００１８】
下収納室４の床板４Ｋの上には、前後に延びたガイドレール１８，１８が設けられており、このガイドレール１８，１８の上にはスライド板１９が載置されている。
スライド板１９の上面には前後に延びた複数の凹部１９Ａが所定間隔毎に形成されており、各凹部１９Ａには面状発熱体（加温手段）であるＰＴＣヒータ２０が取り付けられている。凹部１９Ａの深さは、スライド板１９の上にフトンなどを載せた場合には、ＰＴＣヒータ２０とフトン等との間に所定の空間が形成されるように設定されている。ＰＴＣヒータ１３，２０はＰＴＣヒータ１０と同様な構成となっているので、その説明は省略する。
【００１９】
スライド板１９の下面にはガイド溝９Ｇ，９Ｇと同様に前後に延びた図示しないガイド溝が形成され、このガイド溝にガイドレール１８，１８が係合していて、スライド板１９がガイドレール１８，１８に沿って前後に摺動移動できるようになっているとともに、押入れ１の戸Ｔを開けることにより、スライド板１９をガイドレール１８，１８に沿って所定の長さだけ引き出せるようになっている。
【００２０】
押入れ１の天井２１には天井裏に突出した中空の排気部２２が設けられており、この排気部２２内には上下に開口２３Ａ，２３Ｂを有する風路管２３がその排気部２２の天板２２Ａから所定距離離間した位置に図示しない保持部材を介して設けられている。この風路管２３内には正逆転が可能な換気ファン２４が取り付けられており、この換気ファン２４の下側にはオゾンを発生するオゾン発生部２５が取り付けられている。
【００２１】
排気部２２の天板２２Ａには風路管２３の開口２３Ａと対向して排気口２６が設けられており、この排気口２６には排気シャッタ２７が開閉可能に設けられている。この排気シャッタ２７は、自重により実線で示す位置に位置して排気口２６を閉成し、換気ファン２４が正転すると換気ファン２４の風圧によって破線位置へ位置して排気口２６を開成するようになっている。
【００２２】
排気口２６は排気ダクト（排気風路）２８を介して外に連通しており、換気ファン２４の正転により押入れ１の空気が風路管２３の開口２３Ｂから吸気されてその開口２３Ａ，排気口２６および排気ダクト２８を介して外へ排気されるようになっている。
【００２３】
そして、換気ファン２４と排気ダクト２８とＰＴＣヒータ１０，１３，２０とオゾン発生部２５等とで押入れ（クローゼット）用の換気装置が構成されている。なお、ＰＴＣヒータ１０，１３，２０はこのうちのいずれか１つでもよく、オゾン発生部２５は必ずしも設ける必要はない。
【００２４】
図４は上記の押入れ用の換気装置を制御する制御系の構成を示したブロック図である。
【００２５】
５０は上収納室３の温度を検知する温度センサ、５１はＣＰＵ等から構成される制御装置であり、この制御装置５０は操作部５２の操作や温度センサ５０の検知温度等に基づいて換気ファン２４やＰＴＣヒータ１０，１３，２０やオゾン発生部２５等を制御する。操作部５２は例えば押入れ１の外である部屋の壁などに設けられている。温度センサ５０は上収納室３の温度を検知するが、下収納室４の温度を検知するようにしてもよい。
【００２６】
上記実施の形態では押入れ１に換気ファン２４やＰＴＣヒータ１０，１３，２０やオゾン発生部２５等を設けたものについて説明したがそれらをクローゼットに設けてもよい。
［動　作］
次に、上記のように構成される空調システムの動作を図５に示すフロー図に基づいて説明する。
【００２７】
ステップ１では押入れ１やクローゼットにフトンや座布団等を収納する。ステップ２では操作部５２の電源スイッチをオンにしてスタートスイッチをオンする。ステップ３ではＰＴＣヒータ１０，１３，２０がオンされる。ステップ４ではＰＴＣヒータ１０，１３，２０が発熱することにより上下収納室３，４の温度が上昇していく。
【００２８】
ところで、押入れ１の後壁７は屋外に近くなるが、この後壁７にＰＴＣヒータ１３を設けているので、外の温度の影響を受けることなく押入れ１内の温度を均一に上昇させることができる。
【００２９】
ステップ５では、温度センサ５０が検知する温度が所定以上の温度になったか否かが判断され、イエスであればステップ６へ進み、ノーであればステップ４へ戻る。すなわち、押入れ１内が所定温度になるまでステップ４，５の処理動作が繰り返し行われる。
【００３０】
温度センサ５０が検知する温度が所定以上になると、ステップ５からステップ６へ進む。ステップ６では換気ファン２４が正転され、この正転による風圧によって排気シャッタ２７が破線位置へ移動して排気口２６が開成される。また、換気ファン２４の正転により風路管２３の開口２３Ｂから上収納室３の高温多湿の空気が吸気され、この吸気された高温多湿の空気が風路管２３の開口２３Ａから排気口２６および排気ダクト２８を介して外へ排気されていく。
【００３１】
この高温多湿の空気の排気により上収納室３内が乾燥されていく。また、上収納室３と下収納室４とは仕切板９の穴１１によって連通されていることにより、下収納室４の高温多湿の空気が仕切板９の穴１１から上収納室３へ吸気されていき、下収納室４も乾燥されていく。すなわち、押入れ１の高温多湿の空気が排気されていく（ステップ７）。
【００３２】
なお、換気ファン２４の正転により排気が行われている際には押入れ１の戸Ｔの隙間から上下収納室３，４へ部屋の空気が流れていくが、戸Ｔの下部に換気口を設けたものでもよい。
【００３３】
ところで、スライド板９の凹部９Ａに取り付けたＰＴＣヒータ１０とフトンＦ等との間に空間が形成されることにより、スライド板９の側方からその凹部９Ａへ空気が流入することができる。このため、ＰＴＣヒータ１０で暖められた空気はフトンＦ内を通って風路管２３の開口２３Ｂへ吸気されていく流れが起きる。このため、フトンＦはその内部から乾燥され、効率良く乾燥されていく。しかも、暖められた空気がフトンＦの中を通っていくことにより乾燥されたフトンＦはソフトな仕上がりとなる。
【００３４】
ステップ８では、換気ファン２４が回転されてから所定時間（設定時間）経過したか否かが判断され、イエスであればステップ９へ進み、ノーであればステップ７へ戻る。すなわち、所定時間経過するまでステップ７，８の処理動作が繰り返し行われる。この所定時間は、操作部５２のタイマスイッチ（図示せず）を操作することにより所望の時間に設定可能となっている。
【００３５】
ステップ９では、換気ファン２４を停止させるとともにＰＴＣヒータ１０，１３，２０をオフにする。ステップ１０では排気シャッタ２７が閉成されたか否かが判断される。この判断は、排気シャッタ２７の閉成を検知する例えばマイクロスイッチなどを設けて行う。
【００３６】
ステップ１０でノーと判断されるとステップ７へ戻り、イエスと判断されるとステップ１１へ進む。ステップ１１では、換気ファン２４を逆回転させるとともにオゾン発生部２５を動作させてオゾンを発生させる。オゾン発生部２５から発生したオゾンは換気ファン２４により押入れ１内を循環し、オゾンの作用によりフトンＦ等の脱臭，防カビ，防虫などが行われる。この際、オゾン発生部２５からマイナスイオンを発生させ、このオゾンとマイナスイオンとにより、より殺菌効果を高めることができる。この場合、オゾンの濃度を０．０５ｐｐｍ以下で、マイナスイオンの個数を１０万個〜１００万個／立方ｃｍの割合にすると、腐敗菌の増殖を抑える（殺菌）効果がある。
【００３７】
ステップ１２では、換気ファン２４が逆回転してから所定時間（設定時間）経過したか否かが判断され、ノーであればステップ１１へ戻り、所定時間経過するまで換気ファン２４が逆回転されるとともにオゾン発生部２５が動作される。この所定時間は、操作部５２のタイマスイッチ（図示せず）を操作することにより所望の時間に設定可能となっている。
【００３８】
そして、所定時間経過するとステップ１２でイエスと判断されてステップ１３へ進み、ステップ１３では換気ファン２４およびオゾン発生部２５の動作が停止されて終了する。
【００３９】
以上説明したように、循環路や湿度交換機や排水手段などを設けていないので、その構造は簡単なものとなり、しかもフトンなどをソフトに乾燥させることができる。さらに、押入れ１内でフトンを乾燥させることができるので、フトンを広げる必要がなく、しかも夏の時期であっても部屋が暑くなってしまうことを防止することができる。また、押入れ１内でフトンを乾燥させることができることにより、共稼ぎの家庭であってもフトンを乾燥させるとができることになる。
【００４０】
上記排気シャッタ２７は、電動モータを用いて開閉する電動シャッタであってもよい。また、１つの換気ファン２４の正逆転により、換気と循環を行っているが、換気用のファンと循環用のファンとをそれぞれ別に設けて行ってもよい。
【００４１】
［第２実施形態］
図６および図７は第２実施形態の押入れ６０を示したものである。図６および図７において、６１は仕切板２の上に敷設されたＰＴＣヒータであり、このＰＴＣヒータ６１を覆うようにスノコ６２が仕切板２に設置されている。スノコ６２の上にはフトンＦ等を掛ける一対のハンガー６３が前後に移動可能に載置されている。
【００４２】
各ハンガー６３は、前後に延びた一対の基材６４と、この基材６４の両端に立設された脚部材６５Ａ〜６５Ｄと、脚部材６５Ａ，６５Ｃと脚部材６５Ｂ，６５Ｄの上部間に着脱自在に掛け渡された横架材６６，６６と、筋交い部材６７とを有している。ハンガー６３は、横架材６６を取り外すことにより基材６４，６４間の幅を狭めて折り畳んだ状態にすることことができるとともに、脚部材６５Ａ〜６５Ｄと筋交い部材６７を傾倒させることができ、ハンガー６３を潰した状態にすることもできるようになっている。
【００４３】
また、押入れ６０の下収納室４にも同様にＰＴＣヒータ６１とスノコ６２とハンガー６３とが設けられている。
【００４４】
この第２実施形態によれば、ハンガー６３を図６に示すように広げてフトンＦをハンガー６３の横架材６４Ｃに掛け、上記と同様にして換気ファン２４、ＰＴＣヒータ１３，６１、マイナスイオン・オゾン発生部２５等を動作させることにより、そのフトンＦ等を押入れ６０の中で効率良く乾燥，脱臭，防カビ，防虫など行うことができる。
【００４５】
この第２実施形態では押入れ６０について説明したがクローゼットであってもよい。
【００４６】
【発明の効果】
以上説明したように、この発明によれば、簡単な構造でフトン等をソフトな状態に乾燥させることができる。
【図面の簡単な説明】
【図１】この発明に係る収納室の空調システムの構成を示した横断面図である。
【図２】この発明に係る収納室の空調システムの構成を示した縦断面図である。
【図３】ＰＴＣヒータの構成を示した断面図である。
【図４】押入れの制御系の構成を示したブロック図である。
【図５】図３の制御系の動作を示したフロー図である。
【図６】第２実施形態の構成を示した説明図である。
【図７】第２実施形態の収納室の空調システムの構成を示した縦断面図である。
【符号の説明】
１　　　　　　押入れ
１０　　　　　　　　　　　　ＰＴＣヒータ
１３　　　　　　　　　　　　ＰＴＣヒータ
２０　　　　　　ＰＴＣヒータ
２４　　　　　　　　　　　　換気ファン
２６　　　　　　　　　　　　排気口
２８　　　　　　　　　　　　ダクト
【図１】
2004144450.tif 000003
【図２】
2004144450.tif 000004
【図３】
2004144450.tif 000005
【図４】
2004144450.tif 000006
【図５】
2004144450.tif 000007
【図６】
2004144450.tif 000008
【図７】
2004144450.tif 000009